(57)【要約】    【課題】      ユーザが希望する視聴シーンを正確に取得すること。    【解決手段】  視聴シーン選択部１２５は、番組情報表示部１２４に表示された番組の放送予定に基づいて視聴しようとする視聴シーンを選択して入力するためのものである。進行状況判定部１２７は、字幕情報取得部１２６により取得された字幕情報に基づいて番組の進行状況を判定して遅延時間を検出して検出遅延時間を生成する。予約管理部１２９は、視聴シーン選択部１２５により選択された前記視聴シーンに基づいて番組情報管理部１２３からの番組情報から当該視聴シーンの放送予定時刻を取得して当該視聴シーンと当該放送予定時刻とを関連づけて予約管理情報テーブル１２８に登録し、かつ、進行状況判定部１２７からの前記検出遅延時間により前記視聴シーンの前記放送予定時刻の変更を検出した時に予約管理情報テーブル１２８に登録された前記放送予定時刻を変更する。  【選択図】      図１
2006115292.tif 000002
【特許請求の範囲】
【請求項１】
番組情報を取得する番組情報取得手段と、
前記番組情報取得手段により取得された前記番組情報を保持する番組情報保持手段と、
前記番組情報保持手段により保持された前記番組情報に基づいて番組の放送予定を管理する番組情報管理手段と、
前記番組情報管理手段により管理されている前記番組の放送予定を表示する番組情報表示手段と、
前記番組情報表示手段に表示された前記番組の放送予定に基づいて視聴しようとする視聴シーンを選択して入力するための視聴シーン選択手段と、
字幕情報を取得する字幕情報取得手段と、
前記字幕情報取得手段により取得された前記字幕情報に基づいて番組の進行状況を判定して遅延時間を検出して検出遅延時間を生成する進行状況判定手段と、
前記視聴シーンと当該視聴シーンの放送予定時刻とを有する予約管理情報を保持するための予約管理情報テーブルと、
前記視聴シーン選択手段により選択された前記視聴シーンに基づいて前記番組情報管理手段からの前記番組情報から当該視聴シーンの放送予定時刻を取得して当該視聴シーンと当該放送予定時刻とを関連づけて前記予約管理情報テーブルに登録し、かつ、前記進行状況判定手段からの前記検出遅延時間により前記視聴シーンの前記放送予定時刻の変更を検出した時に前記予約管理情報テーブルに登録された前記放送予定時刻を変更する予約管理手段と、
を具備することを特徴とする嗜好場面取得装置。
【請求項２】
番組情報及び字幕情報を送出する送出装置と、前記送出装置からの前記番組情報及び前記字幕情報を受信する嗜好場面取得装置と、を具備し、
前記送出装置は、
番組情報を保持している番組情報保持手段と、
前記番組情報保持手段に保持されている前記番組情報を送出する番組情報送出手段と、
前記番組情報保持手段に保持されている前記番組情報に基づいて字幕情報を作成する字幕作成手段と、
前記字幕作成手段により作成された前記字幕情報を送出する字幕送出手段と、を具備し、
前記嗜好場面取得装置は、
前記番組情報送出手段からの前記番組情報を取得する番組情報取得手段と、
前記番組情報取得手段により取得された前記番組情報を保持する番組情報保持手段と、
前記番組情報保持手段により保持された前記番組情報に基づいて番組の放送予定を管理する番組情報管理手段と、
前記番組情報管理手段により管理されている前記番組の放送予定を表示する番組情報表示手段と、
前記番組情報表示手段に表示された前記番組の放送予定に基づいて視聴しようとする視聴シーンを選択して入力するための視聴シーン選択手段と、
前記字幕送出手段からの前記字幕情報を取得する字幕情報取得手段と、
前記字幕情報取得手段により取得された前記字幕情報に基づいて番組の進行状況を判定して遅延時間を検出して検出遅延時間を生成する進行状況判定手段と、
前記視聴シーンと当該視聴シーンの放送予定時刻とを有する予約管理情報を保持するための予約管理情報テーブルと、
前記視聴シーン選択手段により選択された前記視聴シーンに基づいて前記番組情報管理手段からの前記番組情報から当該視聴シーンの放送予定時刻を取得して当該視聴シーンと当該放送予定時刻とを関連づけて前記予約管理情報テーブルに登録し、かつ、前記進行状況判定手段からの前記検出遅延時間により前記視聴シーンの前記放送予定時刻の変更を検出した時に前記予約管理情報テーブルに登録された前記放送予定時刻を変更する予約管理手段と、を具備することを特徴とする嗜好場面取得システム。
【発明の詳細な説明】
【技術分野】
【０００１】
本発明は、番組放送システムで放送される番組の中から嗜好場面を取得する嗜好場面取得装置及び嗜好場面取得システムに関する。
【背景技術】
【０００２】
携帯電話機のようなモバイル端末装置においては、テレビ番組を視聴する場合に、電池の電源容量に制限があるため、長時間の視聴が困難である。また、モバイル端末装置でテレビ番組を視聴する場合に、長時間のまとまった時間において視聴するというよりも、短い時間だけ視聴するという場合が多いと思われる。このような状況を考えると、モバイル端末装置においては、ある番組の全体を視聴するのではなく、番組のある一部分を視聴する技術が必要になってくる。
【０００３】
現在、ＥＰＧのような番組予約の仕組みを有する放送システムがあるが、これを用いれば番組全体を予約することは可能だが、その番組の１シーンを予約することはできない。また、従来のデジタルテレビでは、番組配列情報のＬＩＴ(Local event Information Table)に番組の放送スケジュールを定義することが可能であり、番組の一部分のみの予約が可能となる。
【０００４】
上記デジタルテレビでは、予め録画又は編集されて放送されるような番組の場合に、スケジュールが決まっており、また、それが変更されることがないので、放送スケジュールさえ正確に定義されていれば、ある特定のシーンだけを視聴したり、録画したりすることが可能である。
【０００５】
また、従来の技術として、映像情報にメタデータを付加して送信する嗜好場面取得システムがある（特許文献１参照）。
【特許文献１】特開２００２−３３０４１１号公報
【発明の開示】
【発明が解決しようとする課題】
【０００６】
しかしながら、前記従来のデジタルテレビにおいては、スポーツ中継のような生放送の場合に、事前にある程度のスケジュールは決まっているものの、番組の進行は変化しやすく、予定通りには進まないことが多いため、ユーザが希望するシーンを正確に抽出することは不可能であるという問題がある。
【０００７】
また、映像情報にメタデータを付加して送信する従来の嗜好場面取得システムにおいては、通常のシステムに加えて、メタデータを付加するという処理が必要になる。また、この嗜好場面取得システムにおいては、いかにユーザの嗜好にマッチしたシーンを抽出するかが重要であるが、送出側にとって重要なポイントかどうかが観点になってくるため、抽出するシーンが必ずしもユーザ側の嗜好とマッチするとは限らないという問題がある。
【０００８】
本発明は、かかる点に鑑みてなされたものであり、ユーザが希望する視聴シーンを正確に取得することができる嗜好場面取得装置及び嗜好場面取得システムを提供することを目的とする。
【課題を解決するための手段】
【０００９】
本発明の第１のものに係る嗜好場面取得装置は、番組情報を取得する番組情報取得手段と、前記番組情報取得手段により取得された前記番組情報を保持する番組情報保持手段と、前記番組情報保持手段により保持された前記番組情報に基づいて番組の放送予定を管理する番組情報管理手段と、前記番組情報管理手段により管理されている前記番組の放送予定を表示する番組情報表示手段と、前記番組情報表示手段に表示された前記番組の放送予定に基づいて視聴しようとする視聴シーンを選択して入力するための視聴シーン選択手段と、字幕情報を取得する字幕情報取得手段と、前記字幕情報取得手段により取得された前記字幕情報に基づいて番組の進行状況を判定して遅延時間を検出して検出遅延時間を生成する進行状況判定手段と、前記視聴シーンと当該視聴シーンの放送予定時刻とを有する予約管理情報を保持するための予約管理情報テーブルと、前記視聴シーン選択手段により選択された前記視聴シーンに基づいて前記番組情報管理手段からの前記番組情報から当該視聴シーンの放送予定時刻を取得して当該視聴シーンと当該放送予定時刻とを関連づけて前記予約管理情報テーブルに登録し、かつ、前記進行状況判定手段からの前記検出遅延時間により前記視聴シーンの前記放送予定時刻の変更を検出した時に前記予約管理情報テーブルに登録された前記放送予定時刻を変更する予約管理手段と、を具備する構成を採る。
【００１０】
本発明の第２のものに係る嗜好場面取得システムは、番組情報及び字幕情報を送出する送出装置と、前記送出装置からの前記番組情報及び前記字幕情報を受信する嗜好場面取得装置と、を具備し、前記送出装置は、番組情報を保持している番組情報保持手段と、前記番組情報保持手段に保持されている前記番組情報を送出する番組情報送出手段と、前記番組情報保持手段に保持されている前記番組情報に基づいて字幕情報を作成する字幕作成手段と、前記字幕作成手段により作成された前記字幕情報を送出する字幕送出手段と、を具備し、前記嗜好場面取得装置は、前記番組情報送出手段からの前記番組情報を取得する番組情報取得手段と、前記番組情報取得手段により取得された前記番組情報を保持する番組情報保持手段と、前記番組情報保持手段により保持された前記番組情報に基づいて番組の放送予定を管理する番組情報管理手段と、前記番組情報管理手段により管理されている前記番組の放送予定を表示する番組情報表示手段と、前記番組情報表示手段に表示された前記番組の放送予定に基づいて視聴しようとする視聴シーンを選択して入力するための視聴シーン選択手段と、前記字幕送出手段からの前記字幕情報を取得する字幕情報取得手段と、前記字幕情報取得手段により取得された前記字幕情報に基づいて番組の進行状況を判定して遅延時間を検出して検出遅延時間を生成する進行状況判定手段と、前記視聴シーンと当該視聴シーンの放送予定時刻とを有する予約管理情報を保持するための予約管理情報テーブルと、前記視聴シーン選択手段により選択された前記視聴シーンに基づいて前記番組情報管理手段からの前記番組情報から当該視聴シーンの放送予定時刻を取得して当該視聴シーンと当該放送予定時刻とを関連づけて前記予約管理情報テーブルに登録し、かつ、前記進行状況判定手段からの前記検出遅延時間により前記視聴シーンの前記放送予定時刻の変更を検出した時に前記予約管理情報テーブルに登録された前記放送予定時刻を変更する予約管理手段と、を具備する構成を採る。
【発明の効果】
【００１１】
本発明によれば、選択された視聴シーンに基づいて番組情報から当該視聴シーンの放送予定時刻を取得して当該視聴シーンと当該放送予定時刻とを関連づけて予約管理情報テーブルに登録し、かつ、進行状況判定手段からの検出遅延時間により前記視聴シーンの前記放送予定時刻の変更を検出した時に前記予約管理情報テーブルに登録された前記放送予定時刻を変更するため、ユーザが希望する視聴シーンを正確に取得することができる。
【発明を実施するための最良の形態】
【００１２】
次に、本発明の実施の形態について、図面を参照して詳細に説明する。
【００１３】
（一実施の形態）
図１は、本発明の一実施の形態に係る嗜好場面取得システムの構成を示すブロック図である。
【００１４】
図１に示すように、本発明の一実施の形態に係る嗜好場面取得システム１００は、番組情報及び字幕情報を送出する送出装置１１０と、送出装置１１０からの番組情報及び字幕情報を受信する嗜好場面取得装置１２０と、を具備している。
【００１５】
送出装置１１０は、番組情報保持部１１１、番組情報送出部１１２、字幕作成部１１３及び字幕送出部１１４を具備している。
【００１６】
番組情報保持部１１１は、番組情報を保持している。この番組情報は、番組の放送予定時刻（放送開始時刻）、放送時間及びその番組の詳細な放送予定を含んだ情報である。番組情報送出部１１２は、番組情報保持部１１１に保持されている番組情報を嗜好場面取得装置１２０に送出する。
【００１７】
字幕作成部１１３は、番組情報保持部１１１に保持されている番組情報に基づいて字幕情報を作成する。字幕作成部１１３は、番組の内容に応じた字幕情報としての文字列を作成する。字幕作成部１１３は、アナウンサーの声を音声認識して字幕情報を作成し、また、オペレータにより入力される文字列により字幕情報を作成するように構成される。字幕送出部１１４は、シーンの開始時等に字幕作成部１１３により作成された字幕情報を嗜好場面取得装置１２０に送出する。
【００１８】
嗜好場面取得装置１２０は、番組情報取得部１２１、番組情報保持部１２２、番組情報管理部１２３、番組情報表示部１２４、視聴シーン選択部１２５、字幕情報取得部１２６、進行状況判定部１２７、予約管理情報テーブル１２８及び予約管理部１２９を具備している。
【００１９】
番組情報取得部１２１は、番組情報送出部１１２からの番組情報を受けて取得する。なお、デジタル放送では、番組情報は、ＰＳＩ／ＳＩに含まれ映像と同時に送られてくる。また、番組情報は、インターネット又は短距離無線通信などの方式を用いて取得してもよい。番組情報保持部１２２は、番組情報取得部１２１により取得された番組情報を保持する。
【００２０】
番組情報管理部１２３は、番組情報保持部１２２により保持された番組情報に基づいて放送予定を管理する。番組情報管理部１２３は、番組情報保持部１２２により保持された番組情報に基づいて番組管理情報を独自に生成しこの番組管理情報に基づいて放送予定を管理してもよい。
【００２１】
番組情報表示部１２４は、番組情報管理部１２３により管理されている番組情報の放送予定を表示する。番組情報表示部１２４としては、ブラウザを用いてもよく、また、専用のビューアを用いてもよい。
【００２２】
視聴シーン選択部１２５は、番組情報表示部１２４に表示された番組情報の放送予定に基づいて視聴しようとする視聴シーンを選択して入力するためのものである。視聴シーン選択部１２５は、例えば、キーによりフォーカスを当てて選択し、また、マウスのようなポインティングデバイスを用いてクリックするように構成される。
【００２３】
字幕情報取得部１２６は、字幕送出部１１４からの字幕情報を受けて取得し進行状況判定部１２７に与える。進行状況判定部１２７は、字幕情報取得部１２６により取得された字幕情報に基づいて番組の進行状況を判定して遅延時間を検出して検出遅延時間を生成する。進行状況判定部１２７は、生成した検出遅延時間を予約管理部１２９に与える。
【００２４】
予約管理情報テーブル１２８は、視聴シーンと当該視聴シーンの放送予定時刻とを有する予約管理情報を保持するためのものである。この予約管理情報は、放送予定時刻（放送開始時刻）、放送時間及び放送される内容に関するキーワードなどの情報である。
【００２５】
予約管理部１２９は、視聴シーン選択部１２５により選択された視聴シーンに基づいて番組情報管理部１２３からの番組情報から当該視聴シーンの放送予定時刻を取得して当該視聴シーンと当該放送予定時刻とを関連づけて予約管理情報テーブル１２８に登録する。また、予約管理部１２９は、進行状況判定部１２７からの検出遅延時間により視聴シーンの放送予定時刻の変更を検出した時に予約管理情報テーブル１２８に登録された前記放送予定時刻を変更する。
【００２６】
なお、嗜好場面取得システム１００は、字幕放送を受信可能であれば実現可能であり、映像を表示する部分が嗜好場面取得装置１２０の外にあってもよい。例えば、嗜好場面取得システム１００は、リモコン機能付き携帯電話機に嗜好場面取得装置１２０を適用し、かつ、固定テレビに映像を表示する、また、ＶＴＲのような記録装置に録画するように構成してもよい。
【００２７】
次に、送出装置の動作について図１と共に図２を参照して詳細に説明する。図２は、本発明の一実施の形態に係る嗜好場面取得システムの送出装置の動作を説明するためのフローチャートである。
【００２８】
図２に示すように、ステップＳＴ２０１において、番組情報送出部１１２は、シーンの開始時刻などを含む番組情報を送出する。次に、字幕作成部１１３は、シーンの送出開始（又はシーンの切り替え）か否かを判断する（ステップＳＴ２０２）。
【００２９】
ステップＳＴ２０２において、シーンの送出開始（又はシーンの切り替え）である時に、ステップＳＴ２０３において、字幕作成部１１３は、番組情報に含まれる内容を字幕に追加して字幕を作成して送出する（ステップＳＴ２０４、２０５）。
【００３０】
ステップＳＴ２０２において、シーンの送出開始（又はシーンの切り替え）でない時に、字幕作成部１１３は、放送内容に応じた字幕を作成して送出する（ステップＳＴ２０４、２０５）。
【００３１】
次に、嗜好場面取得装置１２０の動作について図１と共に図３を参照して詳細に説明する。図３は、本発明の一実施の形態に係る嗜好場面取得システム１００の嗜好場面取得装置１２０の動作を説明するためのフローチャートである。
【００３２】
図３に示すように、ステップＳＴ３０１において、嗜好場面取得装置１２０は番組情報を取得する。次に、ステップＳＴ３０２において、ユーザによるシーンの選択が行われる。次に、嗜好場面取得装置１２０は、シーンの選択に基づいて、予約情報を登録し（ステップＳＴ３０３）、予約時間を表示する（ステップＳＴ３０４）。
【００３３】
次に、ステップＳＴ３０５において、嗜好場面取得装置１２０は予約時間かを判断する。ステップＳＴ３０５において予約時間である時には、嗜好場面取得装置１２０は、ユーザに通知し、シーンの情報を受信し、かつ、録画する（ステップＳＴ３０６）。
【００３４】
ステップＳＴ３０５において予約時間でない時には、嗜好場面取得装置１２０は、字幕を取得し（ステップＳＴ３０７）、進行状況の判定、すなわち、受信した字幕と番組情報とからスケジュール通り放送が行われているかを判定する（ステップＳＴ３０８）。
【００３５】
ステップＳＴ３０８においてスケジュール通り放送が行われている時、すなわち、放送の遅延が発生していない時、ステップＳＴ３０５に戻る。ステップＳＴ３０８においてスケジュール通り放送が行われていない時、すなわち、放送の遅延が発生している時、嗜好場面取得装置１２０は、その遅延時間を考慮して、予約情報管理テーブル１２８の放送予定時刻を修正して表示を更新し（ステップＳＴ３０９、３１０））、ステップＳＴ３０５に戻る。
【００３６】
なお、本発明の一実施の形態において、番組情報を取得する手段としては、ＬＩＴのような番組配列情報を用いた手段、ＢＭＬでのデータ放送を用いた手段、ＨＴＭＬでの通信コンテンツを用いた手段、又は、独自に算出する手段がある。
【００３７】
また、本発明の一実施の形態において、字幕取得の間隔決定手段としては、間隔を決めて定期的に取得する手段、番組情報からシーンの開始時刻に取得する手段、又は、常時取得する手段がある。
【００３８】
また、本発明の一実施の形態において、進行状況の判定手段としては、シーン毎にキーワードを設定しておいてそのキーワードが出現したかどうかで判定する手段、シーン毎にキーワードの出現順序などを示す文法を定義してその文法に照らし合わし判定する手段、又は、自然言語処理を行い判定する手段がある。
【００３９】
これらのキーワード及び文法情報は、番組情報と同時に放送する形態、インターネットなどを通じて取得する形態、又は、通信端末装置でユーザがカスタマイズする形態が考えられる。また、自然言語処理など高度な処理が必要である場合に、情報処理は、サーバと連携し、処理を分散させることも考えられる。
【００４０】
（実施例１）
次に、本発明の一実施の形態に係る嗜好場面取得システム１００の実施例１について、図１と共に図４を参照して説明する。図４は、本発明の一実施の形態に係る嗜好場面取得システム１００の実施例１の動作を説明するためのフローチャートである。
【００４１】
この実施例１は、本発明を予定通り放送される番組に適用したものであり、キーワードが一致したら録画又は視聴する。ここでは、番組の進行状況の変化などは考慮せず、字幕により番組のシーンを判定し、ユーザの見たいシーンと判断すれば、録画又は視聴が行なわれるものとする。
【００４２】
まず、図４に示すように、ステップＳＴ４０１において、ユーザは、シーン選択部１２５を操作して、見たいシーンを判定するためのキーワードを登録する。次に、嗜好場面取得装置１２０は字幕を受信し（ステップＳＴ４０２）、進行状況判定部１２７は、登録された情報を基づいてユーザの見たいシーンかどうかを判定する（ステップＳＴ４０３）。
【００４３】
ステップＳＴ４０３においてユーザの見たいシーンである時に、嗜好場面取得装置１２０は、所定の時間だけ録画又は視聴を行う（ステップＳＴ４０４）。ステップＳＴ４０３においてユーザの見たいシーンでない時に、嗜好場面取得装置１２０は、タイムアウトかを判断し（ステップＳＴ４０５）、すなわち、所定の時間だけ登録された情報が字幕に出てこない時に、その見たいシーンが終了したものと判断して録画及び視聴を終了する（ステップＳＴ４０６）。
【００４４】
（実施例２）
次に、本発明の一実施の形態に係る嗜好場面取得システム１００の実施例２について、図１と共に図５、図６及び図７を参照して説明する。
【００４５】
図５は、本発明の一実施の形態に係る嗜好場面取得システム１００の実施例２の動作を説明するための図である。図６は、本発明の一実施の形態に係る嗜好場面取得システム１００の実施例２の動作を説明するための他の図である。図７は、本発明の一実施の形態に係る嗜好場面取得システム１００の実施例２の動作を説明するためのタイミングチャートである。
【００４６】
この実施例２は、本発明をニュース番組に適用したものである。ニュース番組は、ほぼ予定通り放送されるが、緊急情報などで放送予定が変更される場合がある。
【００４７】
ニュース番組は、生放送の場合が多い。番組の構成は、放送開始前に分単位で決められている。ニュース番組は、政治、経済及びスポーツのようなジャンル別のニュースのコーナ、番組の特色が出された特集コーナ、及び、天気予報や占いなどで構成されている。
【００４８】
ある１時間のニュース番組が、図５に示すようなスケジュールであったとする。この場合に、ユーザがスポーツニュースだけを見たい例をとって動作を説明する。
【００４９】
まず、番組開始前に、ユーザは、ＥＰＧなどを利用して、番組予約で本ニュース番組を選択する。さらに、番組の詳細なスケジュールを取得するため、嗜好場面取得装置１２０は、ＬＩＴを参照してブラウザなどを用いてユーザに表示し、ユーザに所望のコーナを選択してもらう。ここでは、ユーザが「スポーツニュース」を選択したとする。
【００５０】
この時、予約管理部１２９は、放送予定時刻及び放送時間を予約情報管理テーブル１２８に登録し、放送予定時刻を番組情報表示部１２４に表示する。
【００５１】
嗜好場面取得装置１２０は、番組開始の７時になると、字幕を受信して番組が予定通り開始したかどうか確認する。嗜好場面取得装置１２０は、問題がなければ、５分間隔に字幕を取得し、変更がないか確認する。嗜好場面取得装置１２０は、このような処理を繰り返し、もし番組内容に変更が生じた場合には、予約管理情報テーブル１２８を修正する。
【００５２】
例として、図６のように緊急ニュースが入り、以降のコーナを繰り下げて放送する場合を説明する。
【００５３】
図７に示すように、嗜好場面取得装置１２０は、７時２０分に字幕を受信した時に、予定されていた「特集」が放送されず、「緊急ニュース」が放送されていることが分かると、字幕の受信を継続し、７時２５分に「特集」が放送されていると分かるまで受信を続ける。この時点で、嗜好場面取得装置１２０は、本来７時２０分に放送されるべき予定のコーナが、５分遅れの７時２５分に放送されたことが分かる。
【００５４】
したがって、予約管理部１２９は、予約情報の開始時刻を５分遅らし、放送予定時刻の表示を更新する。そして、嗜好場面取得装置１２０は、７時４５分になると、放送を受信して視聴を開始し、又は、録画を開始する。また、嗜好場面取得装置１２０は、開始時間の数分前にアラームなどでユーザに通知しても良い。
【００５５】
以上のようにして、途中で予定外の放送が割り込んだ場合にでも、ユーザの所望するコーナの時刻を正確に知ることができる。
【００５６】
（実施例３）
次に、本発明の一実施の形態に係る嗜好場面取得システム１００の実施例３について、図１と共に図８及び図９を参照して説明する。
【００５７】
図８は、本発明の一実施の形態に係る嗜好場面取得システム１００の実施例３の動作を説明するための図である。図９は、本発明の一実施の形態に係る嗜好場面取得システム１００の実施例３の動作を説明するためのタイミングチャートである。図１０は、本発明の一実施の形態に係る嗜好場面取得システム１００の実施例３の動作を説明するための他の図である。
【００５８】
この実施例３は、本発明を大相撲の中継に適用したものである。大相撲中継は、取組の予定は決まっているが、取組によっては、早いものもあれば遅いものもあるため、好みの力士の取組だけを見たい場合に、その正確な時間を知ることは難しい。そこで、嗜好場面取得装置１２０は、以下のようにして取組時間を算出する。
【００５９】
まず、嗜好場面取得装置１２０は、番組開始前にデータ放送などを用いて、取組の予定を取得する。各取組の所要時間は、平均取組時間とする。嗜好場面取得装置１２０は、取得した取組情報をユーザに選択可能なように表示し、ユーザは見たい取組を選択する。ここでは、ユーザが「貴乃花vs千代の富士」を選択したとする。選択された取組は、予約管理情報テーブル１２８に登録される。
【００６０】
次に、図９に示すように、嗜好場面取得装置１２０は、最初の取組の終了予定時刻である５時１０分に字幕を受信する。嗜好場面取得装置１２０は、まだ最初の取組が終了していない様子なので、次の取組が開始されるまで、字幕の受信を継続する。嗜好場面取得装置１２０は、５時１２分に最初の取組が終了したとすると、予定よりも２分遅れているので、予約情報を２分遅らし５時５２分に修正する。
【００６１】
次に、嗜好場面取得装置１２０は、次の取組が２分遅れで開始しているので、５時２２分に字幕を受信する。この時に、嗜好場面取得装置１２０は、既に取組は終了しており、次の取組が開始されていることが分かると、その取組が終了するまで字幕の受信を継続する。ここでは、嗜好場面取得装置１２０は、５時２５分に取組が終了した。嗜好場面取得装置１２０は、修正後の予定では、５時３２分に終了するはずだったので、７分早いことが分かる。したがって、嗜好場面取得装置１２０は、予約情報を７分早めて５時４５分に修正する。
【００６２】
次に、嗜好場面取得装置１２０は、５時３５分に字幕を受信すると、まだ取組が終了していないため、終了まで継続する。嗜好場面取得装置１２０は、取組が５時４２分に終了したので、予約情報を７分遅らせて５時５２分とする。実際の相撲の放送の時間と取組の内容は、図１０に示すようになる。
【００６３】
嗜好場面取得装置１２０は、次の取組が所望の取組の直前の取組であるので、字幕を受信し、取組が終了した時点から視聴又は録画を開始する。なお、嗜好場面取得装置１２０は、所望の取組の放映の数分前に所望の取組の放映が数分後に開始されることをユーザに通知しても良い。
【００６４】
（実施例４）
次に、本発明の一実施の形態に係る嗜好場面取得システムの実施例４について、図１と共に図１１及び図１２を参照して説明する。
【００６５】
図１１は、本発明の一実施の形態に係る嗜好場面取得システム１００の実施例４の動作を説明するための図である。図１２は、本発明の一実施の形態に係る嗜好場面取得システム１００の実施例４の動作を説明するための他の図である。
【００６６】
この実施例４は、本発明をプロ野球の中継に適用したものである。野球中継のようなスポーツ番組では、番組の進行は全く決まっておらず、その進行は予測し難いものである。このような場合、嗜好場面取得装置１２０は、より精度の高いものを得ようとすると、細かい間隔又は継続的に字幕を受信し、監視することになる。ここでは、プロ野球の中継を例にとって説明する。
【００６７】
野球中継の場合、どちらか一方のみの攻撃シーンだけ見る、ある選手の打席のみを見る、また、チャンスの時だけ見る、などの要望が考えられる。ここでは、ユーザが、ある選手の打席のみを見る場合の動作を説明する。
【００６８】
まず、嗜好場面取得装置１２０は、データ放送を用いて、各チームの打順情報を取得する。野球中継などでは、番組の進行が決まっていないので、スケジュール情報はないと考える。そこで過去のデータを元に平均的な時間を割り出し、スケジュール情報を作成する。
【００６９】
例えば、プロ野球の場合を例にとると、１試合の試合時間の平均は約３時間と考える。これを９イニングで等分すると、１イニングあたり２０分であり、１チームが攻撃する時間は１０分と考えられる。一方、１試合の１人の打者の平均打席数は、４回であることから、１イニングの打者数は４人と考えられる。
【００７０】
したがって、１人の打者に対する時間は２分３０秒と考えられる。以上のことから図１１に示すような打順情報が得られた場合に図１２に示すような番組のスケジュールを構成することができる。嗜好場面取得装置１２０は、このスケジュールを基づいて実施例３で述べたように監視をすることにより、ある打者の打席の時間を予測することができる。
【産業上の利用可能性】
【００７１】
本発明は、ユーザが希望する視聴シーンを正確に取得することができる効果を有し、嗜好場面取得装置及び嗜好場面取得システムに有用である。
【図面の簡単な説明】
【００７２】
【図１】本発明の一実施の形態に係る嗜好場面取得システムの構成を示すブロック図
【図２】本発明の一実施の形態に係る嗜好場面取得システムの送出装置の動作を説明するためのフローチャート
【図３】本発明の一実施の形態に係る嗜好場面取得システムの嗜好場面取得装置の動作を説明するためのフローチャート
【図４】本発明の一実施の形態に係る嗜好場面取得システムの実施例１の動作を説明するためのフローチャート
【図５】本発明の一実施の形態に係る嗜好場面取得システムの実施例２の動作を説明するための図
【図６】本発明の一実施の形態に係る嗜好場面取得システムの実施例２の動作を説明するための他の図
【図７】本発明の一実施の形態に係る嗜好場面取得システムの実施例２の動作を説明するためのタイミングチャート
【図８】本発明の一実施の形態に係る嗜好場面取得システムの実施例３の動作を説明するための図
【図９】本発明の一実施の形態に係る嗜好場面取得システムの実施例３の動作を説明するためのタイミングチャート
【図１０】本発明の一実施の形態に係る嗜好場面取得システムの実施例３の動作を説明するための他の図
【図１１】本発明の一実施の形態に係る嗜好場面取得システムの実施例４の動作を説明するための図
【図１２】本発明の一実施の形態に係る嗜好場面取得システムの実施例４の動作を説明するための他の図
【符号の説明】
【００７３】
１００  嗜好場面取得システム
１１０  送出装置
１２０  嗜好場面取得装置
１１１  番組情報保持部
１１２  番組情報送出部
１１３  字幕作成部
１１４  字幕送出部
１２１  番組情報取得部
１２２  番組情報保持部
１２３  番組情報管理部
１２４  番組情報表示部
１２５  視聴シーン選択部
１２６  字幕情報取得部
１２７  進行状況判定部
１２８  予約管理情報テーブル
１２９  予約管理部
【図１】
2006115292.tif 000003
【図２】
2006115292.tif 000004
【図３】
2006115292.tif 000005
【図４】
2006115292.tif 000006
【図５】
2006115292.tif 000007
【図６】
2006115292.tif 000008
【図７】
2006115292.tif 000009
【図８】
2006115292.tif 000010
【図９】
2006115292.tif 000011
【図１０】
2006115292.tif 000012
【図１１】
2006115292.tif 000013
【図１２】
2006115292.tif 000014